(57)【要約】【課題】記録装置のサイズの大型化を抑制しつつ、記録装置におけるヘッドユニットに供給可能なインク容量の大容量化を図ることができる記録装置を提供する。【解決手段】記録装置は、被記録媒体に向けて液体を吐出して該被記録媒体に記録を行う記録ヘッドと、前記記録ヘッドを備える装置本体の外側を形成する筐体と、前記筐体の外側に配置され、前記液体を収容する液体収容部と、前記液体収容部から前記記録ヘッドに前記液体を供給するチューブと、前記記録ヘッドの側から送られる媒体を反転させる第１ローラーと、外周面が前記第１ローラーによる反転前の媒体搬送経路と反転後の媒体搬送経路との双方に面して媒体に搬送力を付与する第２ローラーとを備える。【選択図】図１
2015024605.tif 000002
【特許請求の範囲】
【請求項１】
被記録媒体に向けて液体を吐出して該被記録媒体に記録を行う記録ヘッドと、
前記記録ヘッドを備える装置本体の外側を形成する筐体と、
前記筐体の外側に配置され、前記液体を収容する液体収容部と、
前記液体収容部から前記記録ヘッドに前記液体を供給するチューブと、
前記記録ヘッドの側から送られる媒体を反転させる第１ローラーと、
外周面が前記第１ローラーによる反転前の媒体搬送経路と反転後の媒体搬送経路との双
方に面して媒体に搬送力を付与する第２ローラーと、
を備える、
ことを特徴とする記録装置。
【請求項２】
被記録媒体に向けて液体を吐出して該被記録媒体に記録を行う記録ヘッドと、
前記液体を補充可能に収容する液体収容部と、
前記液体収容部から前記記録ヘッドに前記液体を供給するチューブと、
前記記録ヘッドの側から送られる媒体を反転させる第１ローラーと、
外周面が前記第１ローラーによる反転前の媒体搬送経路と反転後の媒体搬送経路との双
方に面して媒体に搬送力を付与する第２ローラーと、
を備える、
ことを特徴とする記録装置。
【請求項３】
請求項１に記載の記録装置において、前記第１ローラー及び前記第２ローラーは、装置
高さ方向においてオーバーラップする位置に設けられている、
ことを特徴とする記録装置。
【請求項４】
請求項２に記載の記録装置において、前記第１ローラー及び前記第２ローラーは、装置
高さ方向においてオーバーラップする位置に設けられている、
ことを特徴とする記録装置。
【請求項５】
請求項１に記載の記録装置において、前記第１ローラー及び前記第２ローラーは、装置
高さ方向において前記記録ヘッドの配置領域とオーバーラップする、
ことを特徴とする記録装置。
【請求項６】
請求項２に記載の記録装置において、前記第１ローラー及び前記第２ローラーは、装置
高さ方向において前記記録ヘッドの配置領域とオーバーラップする、
ことを特徴とする記録装置。
【請求項７】
請求項１、請求項３及び請求項５のいずれか一項に記載の記録装置において、前記装置
本体に対して開いた状態と閉じた状態とを取り得る開閉体と、
前記開閉体と前記装置本体との間に隙間を形成する隙間形成手段とを備え、
前記チューブは、前記液体収容部から前記隙間を介して前記装置本体内部へ延びている
、
ことを特徴とする記録装置。
【請求項８】
請求項７に記載の記録装置において、前記開閉体の一部によって押し込み可能な、前記
装置本体に設けられたスイッチの状態に基づき、前記スイッチの押し込み状態を検出した
場合に前記記録ヘッドを制御して被記録媒体に記録を行い、前記スイッチの非押し込み状
態を検出した場合に記録を実行しない制御部を備え、
前記隙間形成手段が、前記装置本体と前記開閉体との間に少なくも前記チューブ内の液
体流路を遮断しない大きさの、前記チューブを通す隙間を形成した状態で、前記スイッチ
が押し込み状態となる、
ことを特徴とする記録装置。
【請求項９】
請求項７または請求項８に記載の記録装置において、前記記録ヘッドを備えるとともに
所定方向に移動可能なヘッドユニットを備え、
前記装置本体において前記開閉体と対向する部分には、前記ヘッドユニットの移動領域
における少なくとも一部を露呈させる開口部が形成され、
前記チューブは、前記液体収容部から、前記隙間及び前記開口部を介して前記ヘッドユ
ニットへ延びている、
ことを特徴とする記録装置。
【請求項１０】
請求項９に記載の記録装置において、前記チューブの少なくとも一部は、前記開口部の
周囲を利用して固定されている、
ことを特徴とする記録装置。
【請求項１１】
請求項１、請求項３及び請求項５のいずれか一項に記載の記録装置において、前記装置
本体の側面に孔が形成され、
前記チューブは、前記液体収容部から前記孔を介して前記装置本体内部へ延びている、
ことを特徴とする記録装置。
【請求項１２】
請求項１、請求項３及び請求項５のいずれか一項に記載の記録装置において、前記記録
ヘッドにより記録が行われた被記録媒体が排出される被記録媒体排出領域を含む排出口が
設けられた面を前記装置本体の前面としたとき、前記チューブが、前記前面から前記装置
本体内部に延びている、
ことを特徴とする記録装置。
【請求項１３】
請求項１１に記載の記録装置において、前記チューブが、前記排出口から前記装置本体
内部に延びている、
ことを特徴とする記録装置。
【発明の詳細な説明】
【技術分野】
【０００１】
本発明は、ファクシミリやプリンター等に代表される記録装置に関する。
【背景技術】
【０００２】
ファクシミリやプリンター等に代表される記録装置においては、媒体の一例としての記
録用紙の両面に記録を実行可能なものがある（特許文献１参照）。この記録装置は、記録
用紙を反転させる反転経路を有している。記録用紙は、前記記録装置の記録ヘッドにより
当該記録用紙の表面に記録が実行された後、バックフィードされて反転経路へと搬送され
る。その後、前記記録用紙は、前記反転経路内において反転され、裏面を上にして再び記
録ヘッドと対向する領域に搬送される。
【先行技術文献】
【特許文献】
【０００３】
【特許文献１】特開２０１２−２４０８１３号公報
【発明の概要】
【発明が解決しようとする課題】
【０００４】
特許文献１に記載の記録装置では、記録用紙を搬送するローラー（以下、「反転用ロー
ラー」という）の外周面により反転経路を形成する。この反転用ローラーにより形成され
た反転経路を備える記録装置において、サイズの大きい用紙を反転させるためには前記反
転用ローラーを予め前記サイズの大きい用紙に対応するように前記反転用ローラーを大き
くする必要があり、前記記録装置の寸法、特に装置高さ方向の寸法が大きくなるという問
題がある。
【０００５】
また、記録装置の一例としてのインクジェットプリンターにおいて、記録ヘッドを備え
るヘッドユニット（キャリッジともいう。）を所定の方向に移動可能に構成した、所謂シ
リアル式のものがある。このインクジェットプリンターには、前記ヘッドユニットにイン
クを収容するインク収容部（以下、「インクカートリッジ」という。）を搭載するもの（
以下、「オンキャリッジ方式」という。）と、搭載しないもの（以下、「オフキャリッジ
方式」という。）とがある。
【０００６】
前記ヘッドユニットにインクカートリッジを搭載するもの（オンキャリッジ方式）では
、前記ヘッドユニットにインクカートリッジを搭載した状態で所定の方向に往復動し、前
記ヘッドユニット内部においてインクカートリッジから記録ヘッドにインクが供給される
。前記ヘッドユニットにインクカートリッジを搭載しないもの（オフキャリッジ方式）で
は、前記インクカートリッジが前記ヘッドユニットから独立して構成され、前記インクカ
ートリッジと前記ヘッドユニットとを連通するインクチューブが設けられている。オフキ
ャリッジ方式では、インクチューブによりインクを前記インクカートリッジから前記ヘッ
ドユニットへ供給している。
【０００７】
ところで、オンキャリッジ方式の記録装置では、装置本体内において前記ヘッドユニッ
トに着脱可能に取り付けられるインクカートリッジのサイズには限りがある。したがって
、前記インクカートリッジに収容されるインクの量にも限りがある。このため、このイン
クジェットプリンターでは、大量の記録用紙に記録を実行することや縁無し印刷を実行す
ることによりインク消費量が増大し、インクカートリッジを交換する回数が増える虞があ
る。
【０００８】
また、インクカートリッジの交換回数の増加を抑制するために、インクカートリッジの
大容量化を図ると当該インクカートリッジのサイズが大きくなり、ひいてはインクカート
リッジを収納する装置本体のサイズ、特に装置高さ方向のサイズが大型化する虞がある。
【０００９】
本発明は、上記問題点に鑑みてなされたもので、記録装置のサイズの大型化を抑制しつ
つ、記録装置におけるヘッドユニットに供給可能なインク容量の大容量化を図ることがで
きる記録装置を提供することを目的とする。
【課題を解決するための手段】
【００１０】
上記課題を達成するため、本発明の第１の態様の記録装置は、被記録媒体に向けて液体
を吐出して該被記録媒体に記録を行う記録ヘッドと、前記記録ヘッドを備える装置本体の
外側を形成する筐体と、前記筐体の外側に配置され、前記液体を収容する液体収容部と、
前記液体収容部から前記記録ヘッドに前記液体を供給するチューブと、前記記録ヘッドの
側から送られる媒体を反転させる第１ローラーと、外周面が前記第１ローラーによる反転
前の媒体搬送経路と反転後の媒体搬送経路との双方に面して媒体に搬送力を付与する第２
ローラーとを備えることを特徴とする。
【００１１】
本態様によれば、被記録媒体を反転する為の反転経路は、外周面を利用して被記録媒体
を反転させる第１ローラーと、外周面が前記第１ローラーによる反転前の媒体搬送経路と
反転後の媒体搬送経路との双方に面して被記録媒体に搬送力を付与する第２ローラーとを
備えて成るので、前記第１ローラーの大径化を抑制することができ、記録装置のサイズ、
特に装置高さ方向のサイズの大型化を抑制することができる。
【００１２】
さらに、筐体の外側に液体収容部が設けられているので、当該液体収容部のサイズが前
記筐体によって限定されないことから、前記液体収容部のサイズを大きくすることができ
、該液体収容部に収容される液体の収容量の大容量化を図ることができる。
【００１３】
本発明の第２の態様の記録装置は、被記録媒体に向けて液体を吐出して該被記録媒体に
記録を行う記録ヘッドと、前記液体を補充可能に収容する液体収容部と、前記液体収容部
から前記記録ヘッドに前記液体を供給するチューブと、前記記録ヘッドの側から送られる
媒体を反転させる第１ローラーと、外周面が前記第１ローラーによる反転前の媒体搬送経
路と反転後の媒体搬送経路との双方に面して媒体に搬送力を付与する第２ローラーとを備
えることを特徴とする。
【００１４】
本態様によれば、被記録媒体を反転する為の反転経路は、外周面を利用して被記録媒体
を反転させる第１ローラーと、外周面が前記第１ローラーによる反転前の媒体搬送経路と
反転後の媒体搬送経路との双方に面して被記録媒体に搬送力を付与する第２ローラーとを
備えて成るので、前記第１ローラーの大径化を抑制することができ、記録装置のサイズ、
特に装置高さ方向のサイズの大型化を抑制することができる。
【００１５】
本発明の第３の態様の記録装置は、第１の態様において、前記第１ローラー及び前記第
２ローラーは、装置高さ方向においてオーバーラップする位置に設けられていることを特
徴とする。  
本態様によれば、前記第１ローラー及び前記第２ローラーは、装置高さ方向においてオ
ーバーラップする位置に設けられているので、装置高さ方向における前記第１ローラーと
前記第２ローラーの配置領域寸法を最小限にすることができる。
【００１６】
本発明の第４の態様の記録装置は、第２の態様において、前記第１ローラー及び前記第
２ローラーは、装置高さ方向においてオーバーラップする位置に設けられていることを特
徴とする。  
本態様によれば、第３の態様と同じ作用効果をえることができる。
【００１７】
本発明の第５の態様の記録装置は、第１の態様において、前記第１ローラー及び前記第
２ローラーは、装置高さ方向において前記記録ヘッドの配置領域とオーバーラップするこ
とを特徴とする。
【００１８】
本態様によれば、前記第１ローラー及び前記第２ローラーは、装置高さ方向において前
記記録ヘッドの配置領域とオーバーラップするので、装置高さ方向における前記記録ヘッ
ドの配置領域と前記第１ローラー及び前記第２ローラーの配置領域との重畳を回避して、
装置高さ方向の寸法増加を抑えることができる。
【００１９】
本発明の第６の態様の記録装置は、第２の態様において、前記第１ローラー及び前記第
２ローラーは、装置高さ方向において前記記録ヘッドの配置領域とオーバーラップするこ
とを特徴とする。  
本態様によれば、第５の態様と同じ作用効果をえることができる。
【００２０】
本発明の第７の態様の記録装置は、第１、第３及び第５の態様のいずれか一の態様にお
いて、前記装置本体に対して開いた状態と閉じた状態とを取り得る開閉体と、前記開閉体
と前記装置本体との間に隙間を形成する隙間形成手段とを備え、前記チューブは、前記液
体収容部から前記隙間を介して前記装置本体内部へ延びていることを特徴とする。
【００２１】
本態様によれば、前記装置本体に対して開閉可能な開閉体と、前記開閉体と前記装置本
体との間に隙間を形成する隙間形成手段とを備えているので、装置本体と開閉体との間に
少なくともチューブを通すことのできる隙間を形成することができる。このため、前記筐
体の外側に配置された前記液体収容部から前記隙間を介して前記装置本体内部へ前記チュ
ーブを容易に通すことができる。
【００２２】
本発明の第８の態様の記録装置は、第７の態様において、前記開閉体の一部によって押
し込み可能な、前記装置本体に設けられたスイッチの状態に基づき、前記スイッチの押し
込み状態を検出した場合に前記記録ヘッドを制御して被記録媒体に記録を行い、前記スイ
ッチの非押し込み状態を検出した場合に記録を実行しない制御部を備え、前記隙間形成手
段が、前記装置本体と前記開閉体との間に少なくも前記チューブ内のインク流路を遮断し
ない大きさの、前記チューブを通す隙間を形成した状態で、前記スイッチが押し込み状態
となることを特徴とする。
【００２３】
本態様によれば、前記装置本体と前記開閉体との間に少なくとも前記チューブ内の液体
流路を遮断しない大きさの隙間が形成された状態で記録が実行可能であり、すなわち必要
最小限の隙間が形成された状態で記録が実行可能であることから、インクチューブを装置
本体と開閉体との間から通すに際し装置の低背化に配慮しつつ記録機能を維持することが
できる。
【００２４】
本発明の第９の態様の記録装置は、第７または第８の態様において、前記記録ヘッドを
備えるとともに所定方向に移動可能なヘッドユニットを備え、前記装置本体において前記
開閉体と対向する部分には、前記ヘッドユニットの移動領域における少なくとも一部を露
呈させる開口部が形成され、前記チューブは、前記液体収容部から、前記隙間及び前記開
口部を介して前記ヘッドユニットへ延びていることを特徴とする。
【００２５】
本発明の第１０の態様の記録装置は、第９の態様において、前記チューブの少なくとも
一部は、前記開口部の周囲を利用して固定されていることを特徴とする。  
本態様によれば、前記チューブが前記開口部の周囲を利用して固定されるので、前記チ
ューブを固定する構成を簡単な構成とすることができ、省スペース及び低コスト化を図る
ことができる。
【００２６】
本発明の第１１の態様の記録装置は、第１、第３及び第５のいずれか一の態様において
、前記装置本体の側面に孔が形成され、前記チューブは、前記液体収容部から前記孔を介
して前記装置本体内部へ延びていることを特徴とする。
【００２７】
本態様によれば、前記装置本体の側面に形成された前記孔を介して前記液体収容部から
前記装置本体内部に前記液体を供給する構成であるので、新たに前記チューブを装置本体
外側から内側へと導く部材等を設ける必要がなく、低コスト化を図ることができる。さら
に、装置の高さ方向の寸法増加を抑制することができるとともに前記液体収容部から前記
チューブを介して前記記録ヘッドに前記液体を供給できる。
【００２８】
本発明の第１２の態様の記録装置は、第１、第３及び第５のいずれか一の態様において
、前記記録ヘッドにより記録が行われた被記録媒体が排出される被記録媒体排出領域を含
む排出口が設けられた面を前記装置本体の前面としたとき、前記チューブが、前記前面か
ら前記装置本体内部に延びていることを特徴とする。
【００２９】
本態様によれば、前記液体収容部から前記ヘッドユニットへと前記液体を導くチューブ
が、前記装置本体の前面側から装置外部に出ているので、装置の外側に出ている前記チュ
ーブが、ユーザーによって容易に視認される。従って装置の周囲に置かれている物などに
よって前記チューブが押し潰される危険性を低くすることができ、前記チューブを適切な
状態に維持することができる。
【００３０】
本発明の第１３の態様の記録装置は、第１１の態様において、前記チューブが前記排出
口から前記装置本体内部に延びていることを特徴とする。
【図面の簡単な説明】
【００３１】
【図１】本発明に係るプリンターの外観斜視図（原稿読取装置閉状態）。
【図２】本発明に係るプリンターの外観斜視図（原稿読取装置開状態）。
【図３】本発明に係るプリンターを構成する機構のブロック図。
【図４】本発明に係るプリンターの用紙搬送経路を示す側断面図。
【図５】本発明に係るプリンターの用紙搬送経路において搬送部周辺を示す拡大図。
【図６】本発明に係るプリンターの側面図。
【図７】本発明に係るプリンターの原稿読取装置の下面を示す斜視図。
【図８】本発明に係るプリンターの原稿読取装置が開いた状態における装置本体上部を示す斜視図。
【図９】（Ａ）、（Ｂ）は装置本体上部に設けられたスイッチの正面図。
【図１０】（Ａ）、（Ｂ）は装置本体上部に設けられたスイッチの正面図。
【図１１】本発明の第１実施形態の変更例の一例としてのプリンターの外観斜視図（原稿読取装置開状態）。
【図１２】本発明の第１実施形態の変更例の一例としてのプリンターの外観斜視図。
【図１３】本発明の第１実施形態の変更例の一例としてのプリンターの外観斜視図。
【図１４】本発明の第２実施形態に係るプリンターにおいて搬送ユニットが取り付けられた状態の側断面図。
【図１５】本発明の第２実施形態に係るプリンターにおいて搬送ユニットが取り外された状態の側断面図。
【発明を実施するための形態】
【００３２】
以下、本発明の実施の形態を図面に基づいて説明する。尚、各実施例において同一の構
成については、同一の符号を付し、最初の実施例においてのみ説明し、以後の実施例にお
いてはその構成の説明を省略する。
【００３３】
図１は本発明に係るプリンターの外観斜視図（原稿読取装置閉状態）であり、図２は本
発明に係るプリンターの外観斜視図（原稿読取装置開状態）であり、図３は本発明に係る
プリンターを構成する機構のブロック図であり、図４は本発明に係るプリンターの用紙搬
送経路を示す側断面図であり、図５は本発明に係るプリンターの用紙搬送経路において搬
送部周辺を示す拡大図である。
【００３４】
図６は本発明に係るプリンターの側面図であり、図７は本発明に係るプリンターの原稿
読取装置の下面を示す斜視図であり、図８は本発明に係るプリンターの原稿読取装置が開
いた状態における装置本体上部を示す斜視図であり、図９（Ａ）及び図９（Ｂ）は装置本
体上部に設けられたスイッチの正面図であり、図１０（Ａ）及び図１０（Ｂ）は装置本体
上部に設けられたスイッチの正面図である。
【００３５】
図１１は本発明の第１実施形態の変更例の一例としてのプリンターの外観斜視図（原稿
読取装置開状態）であり、図１２は本発明の第１実施形態の変更例の一例としてのプリン
ターの外観斜視図であり、図１３は本発明の第１実施形態の変更例の一例としてのプリン
ターの外観斜視図であり、図１４は本発明の第２実施形態に係るプリンターにおいて搬送
ユニットが取り付けられた状態の側断面図であり、図１５は本発明の第２実施形態に係る
プリンターにおいて搬送ユニットが取り外された状態の側断面図である。
【００３６】
また、各図において示すＸ−Ｙ−Ｚ座標系はＸ方向が記録装置の幅方向、Ｙ方向が記録
装置の奥行き方向、Ｚ方向が記録装置の高さ方向を示している。尚、各図において−Ｙ向
を装置前面側とし、＋Ｙ方向側を装置背面側とする。
【００３７】
■■■第１の実施例■■■■■■■
■■■プリンターの概要について■■■■■■■
図１及び図２を参照するに、本発明に係るプリンター１０が示されている。プリンター
１０は、装置本体１２と、当該装置本体の外側を形成する「筐体」としてのハウジング１
４と、装置本体１２の上部に当該装置本体１２に対して回動可能に設けられた原稿読取装
置１６とを備えている。装置本体１２は、装置前面側（図１−Ｙ方向側）においてユーザ
ーがプリンター１０を操作するための操作パネル部１８と、装置前面側に開口した排出口
２０と、当該排出口２０の下方に配置された媒体収容部２２とを備えている。
【００３８】
操作パネル部１８は、プリンター１０を操作するための電源ボタンや印刷設定ボタン、
表示パネル等を備えて構成されている。また、媒体収容部２２は、Ｚ軸方向上方側に位置
する上段側トレイ２４と、当該上段側トレイ２４の下方に位置する下段側トレイ２６とを
備えている。上段側トレイ２４及び下段側トレイ２６は、装置本体１２に対しそれぞれ装
置前方側（図１における−Ｙ方向）から装着及び取り外し可能に構成されている。
【００３９】
原稿読取装置１６は、装置本体１２の上部を開閉する「開閉体」としてのスキャナーユ
ニット２８と、当該スキャナーユニット２８の上部を開閉するオートドキュメントフィー
ダー（ＡＤＦ）３０（以下、「ＡＤＦ３０」）とを備えている。スキャナーユニット２８
は、装置本体１２の上部において＋Ｙ方向側の端部に回動軸３２（図２参照）を介して回
動可能に装置本体１２と連結されている。
【００４０】
このため、本実施例では、スキャナーユニット２８は、−Ｙ方向側の端部を自由端とし
て装置本体１２に対して回動し、当該装置本体１２の上部を開閉する。尚、スキャナーユ
ニット２８が装置本体１２に対して開かれる際、ＡＤＦ３０はスキャナーユニット２８に
対して開かないように図示しないロック機構によりロックされている。
【００４１】
また、ＡＤＦ３０は、スキャナーユニット２８が装置本体１２に対して閉じた状態にあ
る際、スキャナーユニット２８の上部を開閉可能に構成されている。スキャナーユニット
２８の上部には原稿載置面（図示せず）が設けられている。ＡＤＦ３０をスキャナーユニ
ット２８に対して開いた状態とすることにより、前記原稿載置面へ原稿を載置し、あるい
は前記原稿載置面から前記原稿を取り去ることができる。
【００４２】
そして、前記原稿載置面に前記原稿をセットし、ＡＤＦ３０をスキャナーユニット２８
に対して閉じた状態とした際、スキャナーユニット２８において前記原稿載置面にセット
された前記原稿の情報が読み取られる。尚、ＡＤＦ３０がスキャナーユニット２８に対し
て開かれる際、スキャナーユニット２８は装置本体１２に対して開かないようにロック機
構３４（図２参照）によりロックされている。
【００４３】
また、スキャナーユニット２８は、装置本体１２に対して開かれた状態（図２参照）に
ある際、装置本体１２の上部に設けられた開口部３６を介してヘッドユニット３８（図２
参照）のＸ軸方向における移動領域４０の少なくとも一部を開放する。尚、ヘッドユニッ
ト３８は、図示しない駆動機構及び駆動源により装置本体１２内において図２におけるＸ
軸方向において往復動可能に構成されている。
【００４４】
このため、ヘッドユニット３８の移動領域４０において「被記録媒体」としての用紙Ｐ
（図４参照）の紙詰まりが生じた際、スキャナーユニット２８を装置本体１２に対して開
いた状態とすることにより、ユーザーが開口部３６を介して移動領域４０に対してアクセ
ス可能となり、容易に詰まった用紙Ｐを取り除くことができる。
【００４５】
■■■用紙搬送経路について■■■■■■■
次いで、図３及び図５を参照して、プリンター１０における「媒体」としての用紙Ｐの
搬送経路について説明する。プリンター１０は、装置本体１２において媒体収容部２２と
、給送部４２と、搬送部４４と、記録部４６と、排出部４８と、制御部５０と、開閉検出
手段５１とを備えている。制御部５０は、図３に示すように、操作パネル部１８の入力に
対応して、原稿読取装置１６、媒体収容部２２、給送部４２、搬送部４４、記録部４６、
排出部４８及び後述する開閉検出手段５１を制御する。
【００４６】
図４を参照するに、上段側トレイ２４及び下段側トレイ２６にはそれぞれ、複数の用紙
Ｐが収容されている。尚、本実施例では、上段側トレイ２４及び下段側トレイ２６には異
なる種類の用紙が収容されているが、以下特に区別する必要がない場合は「用紙Ｐ」とい
う。尚、用紙Ｐは、媒体の一例である。
【００４７】
上段側トレイ２４及び下段側トレイ２６のそれぞれ上方には、図示しない駆動源によっ
て回転駆動されるピックアップローラー５２、５４が設けられている。ピックアップロー
ラー５２、５４は、それぞれ揺動軸５６、５８を中心に揺動する揺動部材６０、６２に設
けられている。
【００４８】
操作パネル部１８やＰＣなどから入力された指令に基づいて上段側トレイ２４に収容さ
れた用紙Ｐを搬送経路下流側に給送する際、ピックアップローラー５２は上段側トレイ２
４に収容された用紙Ｐの最上位のものと接して回転することにより、当該最上位の用紙Ｐ
を上段側トレイ２４から搬送経路下流側へ送り出す。同様に、下段側トレイ２６に収容さ
れた用紙Ｐを搬送経路下流側に給送する際、ピックアップローラー５４は下段側トレイ２
６に収容された用紙Ｐの最上位のものと接して回転することにより、当該最上位の用紙Ｐ
を下段側トレイ２６から搬送経路下流側へ送り出す。
【００４９】
また、装置本体１２において装置背面側（図４における＋Ｙ方向側）には当該装置本体
１２に対して開閉可能な背面カバー６４が設けられている。背面カバー６４は、装置本体
１２に対して閉じられた状態にある際、その内面が用紙Ｐの搬送経路の一部を構成してい
る。すなわち、背面カバー６４の内側に形成された給送経路部６６は、上段側トレイ２４
及び下段側トレイ２６から送り出された用紙Ｐを搬送部４４へ案内する。
【００５０】
搬送部４４は、第１ローラー６８、第２ローラー７０、第１搬送従動ローラー７２、第
２搬送従動ローラー７４、第３搬送従動ローラー７６、第４搬送従動ローラー７８、第５
搬送従動ローラー８０及び一対の搬送ローラー８２を備えている。
【００５１】
ここで、第１ローラー６８、第２ローラー７０、第１搬送従動ローラー７２、第２搬送
従動ローラー７４及び第３搬送従動ローラー７６は、装置本体１２に対して着脱可能な搬
送ユニット８４（図４及び図５参照）を構成している。搬送ユニット８４は、装置本体１
２に対して背面カバー６４が開かれた状態にある際、装置背面側（図４における＋Ｙ軸方
向側）から装着あるいは取り外し可能となっている。尚、本実施例において第１ローラー
６８及び第２ローラー７０は、図示しない共通の駆動モーターにより回転駆動させられる
。
【００５２】
用紙Ｐは、搬送部４４において搬送経路に沿って第１ローラー６８と当接する第５搬送
従動ローラー８０及び第３搬送従動ローラー７６、第２ローラー７０と当接する第２搬送
従動ローラー７４及び第１搬送従動ローラー７２を介して搬送ローラー８２に搬送される
。搬送部４４の搬送ローラー８２の搬送経路下流側には、記録部４６が設けられている。
【００５３】
記録部４６は、走査方向（図４におけるＸ軸方向）に移動可能なヘッドユニット３８と、
ヘッドユニット３８の下部に設けられ、用紙Ｐにインクを吐出する記録ヘッド８６と、記
録ヘッド８６と対向し、用紙Ｐを支持するように設けられたプラテン８８とを備えている
。
【００５４】
さらに、記録部４６の搬送経路下流側には、排出部４８が設けられている。排出部４８
には一対の排出ローラー９０と、排出ローラー９０から排出された用紙Ｐを載置する排出
スタッカー９２が装置前方側（−Ｙ方向）に排出口２０から突出して設けられている。搬
送経路に沿って搬送部４４から記録部４６へと送られた用紙Ｐは、その第１面に記録が実
行される。記録実行後、用紙Ｐは排出ローラー９０にニップされ、装置前方側に設けられ
た排出スタッカー９２へ排出される。
【００５５】
ここで図４及び図５において実線は、媒体収容部２２から搬送部４４を介して記録部４
６へと搬送される用紙Ｐの搬送経路９４を示している。また、破線は、記録部４６から搬
送部４４に戻されて、再度記録部４６へと搬送される用紙Ｐの反転経路９６を示している
。
【００５６】
次いで反転経路９６について説明する。プリンター１０において用紙Ｐの両面に記録を
行う場合には、媒体収容部２２から搬送経路９４を介して記録部４６において用紙Ｐの第
１面に記録が行われた後、用紙Ｐは搬送ローラー８２及び排出ローラー９０の逆送り動作
により前記第１面に記録が実行された際に用紙後端となっていた側が先端となってＺ軸方
向における第２ローラー７０の−Ｚ方向側に位置する、搬送ユニット８４の下方に位置す
る反転経路９６へと送られる。反転経路９６は、第１ローラー６８及び第２ローラー７０
の下方すなわち図４及び図５における−Ｚ方向に沿って設けられ、媒体収容部２２からの
用紙Ｐの搬送経路９４に合流するように設けられている。
【００５７】
このため、用紙Ｐは記録部４６から破線状の反転経路９６に沿って、すなわち第２ロー
ラー７０の下方を通り、第１ローラー６８の外周面を利用して反転し、第２ローラー７０
の上方を通って、再度記録部４６に送られ、第２面の記録が実行される。そして記録実行
後、用紙Ｐは排出ローラー９０にニップされ、装置前方側に設けられた排出スタッカー９
２へ排出される。
【００５８】
■■■搬送部における搬送ローラーの配置について■■■■■■■
ここで、第１ローラー６８及び第２ローラー７０について詳説する。搬送部４４におい
て第１ローラー６８と第２ローラー７０とは、図４及び図５におけるＺ軸方向においてオ
ーバーラップする位置に設けられている。このため、Ｚ軸方向における第１ローラー６８
と第２ローラー７０の配置領域の寸法を最小限に抑えることができる。また、第１ローラ
ー６８と第２ローラー７０とはＹ軸方向において間隔をおいて配置されている。このため
、用紙Ｐの搬送経路において、搬送経路上流側に第１ローラー６８が位置し、搬送経路下
流側に第２ローラー７０が位置している。また、前記間隔は、プリンター１０に対応する
用紙Ｐの搬送経路方向における最小長さよりも小さく設定されている。
【００５９】
さらに、第１ローラー６８及び第２ローラー７０は、本実施例において同径に設定され
、記録部４６の記録ヘッド８６に対して装置前後方向（図４及び図５におけるＹ軸方向）
において記録ヘッド８６の配置領域に対して後方側（＋Ｙ方向）に位置し、装置高さ方向
（Ｚ軸方向）において記録ヘッド８６の配置領域とオーバーラップする位置に設けられて
いる。このため、装置高さ方向（Ｚ軸方向）における記録ヘッド８６の配置領域と第１ロ
ーラー６８及び第２ローラー７０の配置領域との重畳を回避して、装置高さ方向（Ｚ軸方
向）の寸法増加を抑えることができる。
【００６０】
また、第１ローラー６８は、図４及び図５に示すようにその外周面を利用して記録ヘッ
ド８６側から送られてきた用紙Ｐの第１面と第２面とを反転させる。さらに、第２ローラ
ー７０は、その外周面が第１ローラー６８により反転させられる前の反転経路９６の一部
と第１ローラーにより反転させられた用紙Ｐの搬送経路である第１ローラー６８及び第２
ローラー７０の上方に位置する搬送経路９４の双方に面して用紙Ｐに搬送力を付与してい
る。
【００６１】
■■■インク供給系について■■■■■■■
続いて、記録ヘッド８６へ「液体」であるインクを供給するインク供給系について説明
する。再度、図１及び図２を参照するに、プリンター１０は、ハウジング１４の外側に「
液体収容部」である複数のインクタンク９８を備えている。一例として、インクタンク９
８Ａ〜９８Ｄはそれぞれ異なる色のインクを収容するインク収容部として構成されている
。例えばインクタンク９８Ａは、ブラックのインクを、インクタンク９８Ｂはマゼンタの
インクを、インクタンク９８Ｃはシアンのインクを、インクタンク９８Ｄはイエローのイ
ンクをそれぞれ収容する。
【００６２】
各インクタンク９８Ａ〜９８Ｄは、当該インクタンク９８Ａ〜９８Ｄに対応する色のイ
ンクを補充可能に構成されている。一例として、各インクタンク９８Ａ〜９８Ｄの上部に
設けられた穴（図示せず）に注射器状または先端が先細りした形状のノズルを備えた、イ
ンク補充用のインクボトルのノズルを差し込んで前記インクボトルから各インクタンク９
８Ａ〜９８Ｄに対応する色のインクを補充する構成である。
【００６３】
各インクタンク９８Ａ〜９８Ｄから「液体流路」であるインク流路を形成する「チュー
ブ」すなわちインクチューブ１００Ａ〜１００Ｄが装置本体１２内側に延び、記録ヘッド
８６へインクを供給するように構成されている。
【００６４】
複数本のインクチューブ１００Ａ〜１００Ｄは、可撓性を有するチューブであり、イン
クタンク９８から記録ヘッド８６に至るインク流路を、各色のインク毎に形成する。ヘッ
ドユニット３８には、各色のインクカートリッジに代えて各インク色に対応した中継部１
０２Ａ〜１０２Ｄが収容されている。中継部１０２Ａ〜１０２Ｄは、記録ヘッド８６とイ
ンクタンク９８Ａ〜９８Ｄとを中継する構成要素である。各インクタンク９８Ａ〜９８Ｄ
から延びるインクチューブ１００Ａ〜１００Ｄは、それぞれ対応する色の中継部１０２Ａ
〜１０２Ｄに接続されている。そして各中継部１０２Ａ〜１０２Ｄに供給されたインクが
記録ヘッド８６に供給される。
【００６５】
尚、以下では、インクタンク９８Ａ〜９８Ｄを特に区別する必要がない場合には「イン
クタンク９８」と呼び、インクチューブ１００Ａ〜１００Ｄを特に区別する必要がない場
合には「インクチューブ１００」と呼び、中継部１０２Ａ〜１０２Ｄを特に区別する必要
がない場合には「中継部１０２」と呼ぶこととする。
【００６６】
各インクチューブ１００は、ヘッドユニット３８の中継部１０２から延び、装置本体１
２の上面すなわちハウジング１４の上部に開口された開口部３６の内側から外側に出て、
開口部３６の周囲の上面３６ａに固定されている（図８参照）。複数のインクチューブ１
００は、上面３６ａにおいて水平方向に並んだ状態でチューブ固定具１０４により固定さ
れている。尚、チューブ固定具１０４は、例えば、テープ、ワイヤー、プレート材など種
々のものを用いることができ、インクチューブ１００をハウジング１４に固定できるもの
であればよい。
【００６７】
インクチューブ１００は、開口部３６の周囲を利用して固定されるので、インクチュー
ブ１００を固定する構成を簡単な構成とすることができ、省スペース及び低コスト化を図
ることができる。また、各インクチューブ１００は、ヘッドユニット３８の図２及び図８
におけるＸ軸方向への移動に伴って、中継部１０２とチューブ固定具１０４との間の区間
で変形する。
【００６８】
また、図１、図２及び図６に示すように、本実施例では、ハウジング１４の上面１４ａ
において装置左右方向（Ｘ軸方向）における両端部に「隙間形成手段」としてのボス１０
６が設けられている。ボス１０６は、スキャナーユニット２８が閉じた際に、スキャナー
ユニット２８の底面２８ａに当接して、スキャナーユニット２８とハウジング１４の上面
１４ａとの間に隙間１０８を形成する。
【００６９】
ここで、隙間１０８のサイズが小さいと、スキャナーユニット２８とハウジング１４と
の間でインクチューブ１００が潰されてインク流路が遮断され、インクタンク９８から記
録ヘッド８６へのインク供給ができなくなる。したがって、隙間１０８は、インクチュー
ブ１００を通す隙間であって、より具体的にはインクチューブ１００内のインク流路を遮
断しない大きさの隙間として形成されている。尚、隙間１０８の大きさは、必ずしもイン
クチューブ１００の外径よりも大きくする必要はなく、インクチューブ１００のインク流
路が遮断されないサイズであればよい。
【００７０】
また、図２に示すヘッドユニット３８の移動領域４０においてヘッドユニット３８が移
動領域４０の−Ｘ軸方向側端部に位置している際、記録ヘッド８６と対向する領域には、
該記録ヘッド８６の保守領域が設けられている。前記保守領域において記録ヘッド８６の
クリーニングや記録ヘッド８６に設けられたインク吐出ノズル内のインクの乾燥防止のた
めのフラッシングが行われる。
【００７１】
そして、フラッシングにより記録ヘッド８６から吐出されたインクや縁なし記録により
記録ヘッド８６から吐出され、プラテン８８に付着したインクは、装置本体１２内に設け
られた廃液タンク（図示せず）に集められ、該廃液タンク内に配置されたインク吸収体に
吸収される。
【００７２】
本実施例では、ハウジング１４の外側にインクタンク９８が設けられているので、当該
インクタンク９８のサイズがハウジング１４によって限定されないことから、インクタン
ク９８のサイズを大きくすることができ、該インクタンク９８に収容されるインクの収容
量の大容量化を図ることができる。
【００７３】
本実施例では、装置本体１２に対して開閉可能なスキャナーユニット２８と、該スキャ
ナーユニット２８と装置本体１２との間に隙間１０８を形成するボス１０６とを備えてい
るので、装置本体１２とスキャナーユニット２８との間に少なくともインクチューブ１０
０を通すことのできる隙間１０８を形成することができる。このため、ハウジング１４の
外側に配置されたインクタンク９８から隙間１０８を介して装置本体１２内部へ容易にイ
ンクチューブ１００を通すことができる。
【００７４】
■■■スキャナーユニットの開閉検出手段について■■■■■■■
次いで、図７ないし図１０を参照して、スキャナーユニット２８の開閉検出手段５１に
ついて説明する。より具体的には、開閉検出手段５１は、スキャナーユニット２８の底面
２８ａに形成された突起１１０と、装置本体１２側に設けられたスイッチ１１２とを備え
ている。
【００７５】
より具体的には、図７に示すように、スキャナーユニット２８の底面２８ａには、突起
１１０が装置本体側に向けて形成されている。また、図８に示すようにハウジング１４の
上面１４ａには穴１１４が形成され、当該穴１１４の内部にはスイッチ１１２が設けられ
ている。
【００７６】
図９（Ａ）及び図９（Ｂ）に示すように、スキャナーユニット２８が装置本体１２に向
けて閉じられた際、突起１１０がハウジング１４の上面１４ａに形成された穴１１４内部
に入り込む。そして、突起１１０がスイッチ１１２のレバー１１６を押し込む。これによ
り、スイッチ１１２に電気的に接続された制御部５０（図３）はスキャナーユニット２８
が閉じられたことを検出する。
【００７７】
本実施例において、制御部５０はスイッチ１１２のレバー１１６が押し込まれた状態を
検出していない場合、すなわちスキャナーユニット２８の開状態では、記録動作を実行し
ないよう設定されている。また、制御部５０はスイッチ１１２のレバー１１６が押し込ま
れた状態を検出している場合、すなわちスキャナーユニット２８の閉状態では、記録動作
を実行するよう設定されている。
【００７８】
ここで、図９（Ｂ）は、ハウジング１４の上面１４ａに形成されたボス１０６により隙
間１０８が形成された状態である。本実施例では、この状態において、制御部５０がスイ
ッチ１１２のレバー１１６が押し込まれた状態を検出するように構成されている。すなわ
ち、突起１１０の長さは、隙間１０８が形成された状態でスイッチ１１２のレバー１１６
を押し込んだ状態となる長さに設定されている。
【００７９】
つまり、装置本体１２とスキャナーユニット２８との間に、少なくともインクチューブ
１００内のインク流路を遮断しない大きさの隙間１０８が形成された状態で、記録が実行
可能であることからインクチューブ１００を通す隙間１０８を必要最小限にすることによ
ってプリンター１０の装置高さ方向のサイズを抑制するとともに、記録機能を維持するこ
とができる。
【００８０】
＜＜＜スキャナーユニットの開閉検出手段の変更例＞＞＞
また、本実施例では、突起１１０の長さを隙間１０８が形成された状態でスイッチ１１
２のレバー１１６を押し込んだ状態となる長さに設定したが、図１０（Ａ）及び図１０（
Ｂ）に示すように、突起１１０Ａの先端に延長部材１１８を取り付けることにより、スキ
ャナーユニット２８を閉じた際、隙間１０８が形成されるように構成してもよい。
【００８１】
また、図９（Ｂ）及び図１０（Ｂ）のいずれの構成においても、突起１１０、１１０Ａ
が隙間１０８を形成するボス１０６の機能を兼ね備える構成としてもよい。すなわち、ス
キャナーユニット２８を閉じた際、突起１１０、１１０Ａが隙間１０８を形成する構成と
してもよい。
【００８２】
＜＜＜第１の実施例の変更例について＞＞＞
（１）図１１に示すように、インクタンク９８をハウジング１４の左側方（図１における
＋Ｘ方向側）に配置する構成に代えて、いくつかのインクタンク９８をハウジング１４の
右側方（図１１における−Ｘ方向側）に配置する構成としてもよく、全てのインクタンク
９８をハウジング１４の右側方（図１１における−Ｘ方向側）に配置する構成としてもよ
い。
（２）図１２に示すように、ハウジング１４の外側に配置されたインクタンク９８からハ
ウジング１４の前面に設けられた排出口２０を介してハウジング１４の内側のヘッドユニ
ット３８の中継部１０２へインクチューブ１００を導く構成としてもよい。
（３）図１３に示すように、ハウジング１４の側方に孔１２０を開口し、ハウジング１４
の外側に配置されたインクタンク９８から孔１２０を介してハウジング１４の内側のヘッ
ドユニット３８の中継部１０２へインクチューブ１００を導く構成としてもよい。
（４）また、インクタンク９８は、ハウジング１４の外側において、ハウジング１４から
離れた位置で独立した構成としてもよく、ハウジング１４の側部に一体に設けてもよく、
あるいはハウジング１４の側部に別体に設けてもよい。
【００８３】
（５）インクチューブ１００はハウジング１４の上面１４ａにおいて開口部３６の周囲の
上面３６ａだけでなく、チューブ固定具１０４によりハウジング１４の側面等に適宜固定
される構成としてもよい。
（６）本実施例では「開閉体」をスキャナーユニット２８により構成したが、単なるカバ
ーとして構成してもよく、スキャナーユニット以外の機能を有する機能ユニットから構成
してもよい。
【００８４】
上記変形例によれば、装置本体１２ひいてはハウジング１４の側面に形成された孔１２
０を介してインクタンク９８から装置本体１２内部にインクを供給する構成であるので、
新たにインクチューブ１００を装置本体１２外側から内側へと導く部材等を設ける必要が
なく、低コスト化を図ることができる。さらに、プリンター１０における装置の高さ方向
の寸法増加を抑制することができるとともにインクタンク９８からインクチューブ１００
を介して記録ヘッド８６にインクを供給できるので、記録ヘッド８６に供給可能なインク
容量をインクカートリッジによりインクを供給する場合よりも大容量化することができ、
インク消費量の増大に対応することができる。
【００８５】
また、上記変形例によれば、インクタンク９８からヘッドユニット３８へとインクを導
くインクチューブ１００が、装置本体１２の前面側から装置外部に出ているので、装置の
外側に出ているインクチューブ１００が、ユーザーによって容易に視認される。従ってプ
リンター１０の周囲に置かれている物などによってインクチューブ１００が押し潰される
危険性を低くすることができ、インクチューブ１００を適切な状態に維持することができ
る。
【００８６】
■■■第２の実施例■■■■■■■
図１４及び図１５を参照するに、本発明の第２の実施例に係るプリンター１２２が示さ
れている。プリンター１２２は、第１搬送従動ローラー７２、第２搬送従動ローラー７４
及び第３搬送従動ローラー７６が搬送ユニット８４にではなく、装置本体１２４に設けら
れている点で第１実施例と異なる。
【００８７】
図１４及び図１５に示すように、プリンター１２２は装置本体１２４に対して搬送ユニ
ット１２６が着脱可能に構成されている。尚、搬送ユニット１２６の着脱は、装置本体１
２４に対して背面カバー６４を開閉することにより行われる。搬送ユニット１２６には、
第１実施例と同様に第１ローラー６８及び第２ローラー７０が設けられている。第１ロー
ラー６８及び第２ローラー７０は、第１の実施例と同様に搬送ユニット１２６が装置本体
１２４に装着された状態において、図示しない駆動モーターからの駆動力により回転駆動
させられる。
【００８８】
装置本体１２４には、搬送ユニット１２６が装置本体１２４に装着された際、第１搬送
従動ローラー７２、第２搬送従動ローラー７４及び第３搬送従動ローラー７６がそれぞれ
第１ローラー６８及び第２ローラー７０と当接するように第１搬送従動ローラー７２、第
２搬送従動ローラー７４及び第３搬送従動ローラー７６が設けられている。
【００８９】
また、本実施例では、開閉検出手段５１は、装置本体１２４の前面側（図１４における
−Ｙ方向側）において、開いた状態で排出口２０を開放し、閉じた状態で排出口２０を閉
鎖するカバー（図示せず）の開閉を検出する手段として装置本体１２４に設けられている
。
【００９０】
そして、本実施例においても開閉検出手段５１は装置本体１２４と図示しないカバーと
の間にインクチューブ１００を通すことができる隙間を形成する。本実施例において、装
置本体１２４の外側に配置されたインクタンク９８から延びるインクチューブ１００は、
装置前面側において装置本体１２４と図示しないカバーとの間に形成した前記隙間を介し
て装置本体１２４内部のヘッドユニット３８に接続されている。
【００９１】
したがって、本実施例においても装置本体１２４の外側に配置されたインクタンク９８
から装置前面側を介して装置本体１２４内部のヘッドユニット３８へとインクを供給する
ことができる。
【００９２】
＜＜＜その他の変更例＞＞＞
（１）インクタンク９８は、該インクタンク９８内に対応する色のインクを収容したパッ
ク（袋）を格納し、該パックから記録ヘッド８６へと前記インクを供給し、インクがなく
なったら前記パックを交換する構成としてもよい。また、各インクタンク９８をパックで
構成してもよい。
（２）インクタンク９８は、記録ヘッド８６で使用する色の数に対応して複数の構成とし
たが、単一の色のみに対応するインクタンクのみの構成としてもよい。具体的には使用頻
度の高い色、一例として黒色のみをハウジング１４の外側に配置し、使用頻度の低い他の
色のインクはインクカートリッジに収容してヘッドユニット３８に搭載する構成としても
よい。尚、この構成においてインクチューブ１００は黒一色に対応するように一本だけ設
ける構成としてもよい。
【００９３】
（３）前記廃液タンク（図示せず）はハウジング１４（装置本体１２）内に設ける構成に
代えて、ハウジング１４の外側に配置する構成としてもよい。尚、前記廃液タンクの大き
さは、インクタンク９８のインク収容量に対応する構成としてもよい。
（４）複数本のインクチューブ１００は、結束バンド等の結束手段により適宜束ねること
ができる。
（５）第１の実施例及び第２の実施例におけるインクタンク９８及びインクチューブ１０
０は、オンキャリッジ方式だけでなくオフキャリッジ方式においても適用可能である。
（６）第１の実施例及び第２の実施例においてインクタンク９８は、ハウジング１４の外
側に配置する構成としたが、この構成に代えて、インクを補充可能なインクタンク９８を
ハウジング１４（装置本体１２）内に設ける構成としてもよい。
【００９４】
また、本実施形態では本発明に係る記録装置を記録装置の一例としてのインクジェット
プリンターに適用したが、その他液体噴射装置一般に適用することも可能である。  
ここで、液体噴射装置とは、インクジェット式記録ヘッドが用いられ、該記録ヘッドか
らインクを吐出して被記録媒体に記録を行うプリンター、複写機及びファクシミリ等の記
録装置に限らず、インクに代えてその用途に対応する液体を前記インクジェット式記録ヘ
ッドに相当する液体噴射ヘッドから被記録媒体に相当する被噴射媒体に噴射して、前記液
体を前記被噴射媒体に付着させる装置を含むものである。
【００９５】
液体噴射ヘッドとして、前記記録ヘッドの他に、液晶ディスプレー等のカラーフィルタ
ー製造に用いられる色材噴射ヘッド、有機ＥＬディスプレーや面発光ディスプレー（ＦＥ
Ｄ）等の電極形成に用いられる電極材（導電ペースト）噴射ヘッド、バイオチップ製造に
用いられる生体有機物噴射ヘッド、精密ピペットとしての試料噴射ヘッド等が挙げられる
。
【００９６】
尚、本発明は上記実施例に限定されることなく、特許請求の範囲に記載した発明の範囲
内で、種々の変形が可能であり、それらも本発明の範囲内に含まれるものであることは言
うまでもない。
【符号の説明】
【００９７】
１０、１２２  プリンター、１２、１２４  装置本体、１４  ハウジング、１４ａ  上面
、
１６  原稿読取装置、１８  操作パネル部、２０  排出口、２２  媒体収容部、
２４  上段側トレイ、２６  下段側トレイ、２８  スキャナーユニット、２８ａ  底面、
３０  オートドキュメントフィーダー（ＡＤＦ）、３２  回動軸、３４  ロック機構、
３６  開口部、３６ａ  上面、３８  ヘッドユニット、４０  移動領域、４２  給送部、
４４  搬送部、４６  記録部、４８  排出部、５０  制御部、５１  開閉検出手段、
５２、５４  ピックアップローラー、５６、５８  揺動軸、６０、６２  揺動部材、
６４  背面カバー、６６  給送経路部、６８  第１ローラー、７０  第２ローラー、
７２  第１搬送従動ローラー、７４  第２搬送従動ローラー、
７６  第３搬送従動ローラー、７８  第４搬送従動ローラー、
８０  第５搬送従動ローラー、８２  搬送ローラー、８４、１２６  搬送ユニット、
８６  記録ヘッド、８８  プラテン、９０  排出ローラー、９２  排出スタッカー、
９４  搬送経路、９６  反転経路、
９８、９８Ａ、９８Ｂ、９８Ｃ、９８Ｄ  インクタンク、
１００、１００Ａ、１００Ｂ、１００Ｃ、１００Ｄ  インクチューブ、
１０２、１０２Ａ、１０２Ｂ、１０２Ｃ、１０２Ｄ  中継部、
１０４  チューブ固定具、１０６  ボス、１０８  隙間、１１０、１１０Ａ  突起、
１１２  スイッチ、１１４  穴、１１６  レバー、１１８  延長部材、１２０  孔、
Ｐ  用紙
【図１】
2015024605.tif 000003
【図２】
2015024605.tif 000004
【図３】
2015024605.tif 000005
【図４】
2015024605.tif 000006
【図５】
2015024605.tif 000007
【図６】
2015024605.tif 000008
【図７】
2015024605.tif 000009
【図８】
2015024605.tif 000010
【図９】
2015024605.tif 000011
【図１０】
2015024605.tif 000012
【図１１】
2015024605.tif 000013
【図１２】
2015024605.tif 000014
【図１３】
2015024605.tif 000015
【図１４】
2015024605.tif 000016
【図１５】
2015024605.tif 000017